(57)【要約】      （修正有）【課題】多種多様なトランプをすごろくやＣＤ・ＤＶＤ・ＵＳＢメモリなどの記録媒体と組み合わせて遊戯方法の相乗効果を高めて使用し、それらを手軽に入手できるような流通しやすい形態で提供する。【解決手段】本として流通できるように、外見はＡ４サイズ版などの本の形態と同様であるが、ページをめくると本の各ページの中にはトランプカードが複数枚ずつまとめてレイアウトされ、多種多様な複数のトランプカードセットを１冊の本の体裁にまとめて出版できるようにデザインされており、掲載されたトランプカードを切取線にそって切り取ることで独立したトランプカードとして使用することができ、さらに１組に１つずつ切り抜き可能なトランプカード収容ケースが掲載されており、しかもそのトランプと関連した遊びができるすごろくやＣＤ・ＤＶＤ・ＵＳＢメモリなどの記録媒体を添付して本を構成する。 【選択図】図３
0003157238.tif 000002
【実用新案登録請求の範囲】
【請求項１】
A4サイズ版などの出版可能なサイズの１冊の本の中に、番号のカードがスペード、ハート、クラブ、ダイヤの四種類各１３枚とジョーカーのカードが各２枚の計５４枚のトランプカードの多種多様な複数セットが掲載されており、本の各ページの中にはトランプカードが複数枚ずつまとめてレイアウトデザインされ、多種多様な複数のトランプカードセットを1冊の本の体裁にまとめて出版できるようにデザインされており、その掲載されているトランプカードを切取線にそって切り取ることで独立したトランプカードとして使用することができ、さらに1組に１つずつ切り抜き可能なトランプカード収容ケースが掲載されており、しかもそのトランプと関連した遊びができるすごろくシートやCD・DVD・USBメモリなどの記録媒体も添付されていることを特徴とする記録媒体付きトランプすごろくブック。
【考案の詳細な説明】
【技術分野】
【０００１】
本考案は、A4サイズ版などの出版可能なサイズの１冊の本の中に、番号のカードがスペード、ハート、クラブ、ダイヤの四種類各１３枚とジョーカーのカードが各２枚の計５４枚のトランプカードの多種多様な複数セットが掲載されており、本の各ページの中にはトランプカードが複数枚ずつまとめてレイアウトデザインされ、多種多様な複数のトランプカードセットを1冊の本の体裁にまとめて出版できるようにデザインされており、その掲載されているトランプカードを切取線にそって切り取ることで独立したトランプカードとして使用することができ、さらに1組に１つずつ切り抜き可能なトランプカード収容ケースが掲載されており、しかもそのトランプと関連した遊びができるすごろくシートやCD・DVD・USBメモリなどの記録媒体も添付されていることを特徴とする本に関するものである。
【背景技術】
【０００２】
従来のトランプは1枚1枚独立したカードの状態で1組ずつ市販されているが、様々なデザインの多種多様なトランプを１つにまとめて利用者が手軽に入手できるように流通することは困難であった。また、すごろくも1組ずつ市販されているのが一般的で、トランプやＣD・DVD・USBメモリなどの記録媒体と組み合わせて遊べる様々なデザインのすごろくをまとめて手軽に入手することは困難であった。
【０００３】
この改善策として、A4サイズ版などの出版可能なサイズの１冊の本の中に、多種多様なトランプカードやすごろくを掲載し、その使い方を紹介するCDやDVD,USBメモリなどの記録媒体を組み合わせて出版できるような形態の本を製作する。
【考案の概要】
【考案が解決しようとする課題】
【０００４】
解決しようとする問題点は、従来のトランプカードの形状では多種多様なトランプをすごろくやCD・DVD・USBメモリなどの記録媒体と組み合わせて１つにまとめて提供することが困難であった点と、利用者がそれらを手軽に容易にまとめて入手できるような形態ではなかった点と、流通販売網がそれらを容易に取り扱うことのできる形態ではなかった点である。
【課題を解決するための手段】
【０００５】
本考察は、A4サイズ版などの出版可能なサイズの１冊の本の中に、番号のカードがスペード、ハート、クラブ、ダイヤの四種類各１３枚とジョーカーのカードが各２枚の計５４枚のトランプカードの多種多様な複数セットが掲載されており、本の各ページの中にはトランプカードが複数枚ずつまとめてレイアウトデザインされ、多種多様な複数のトランプカードセットを1冊の本の体裁にまとめて出版できるようにデザインされており、その掲載されているトランプカードを切取線にそって切り取ることで独立したトランプカードとして使用することができ、さらに1組に１つずつトランプカード収容ケースが掲載されており、しかもそのトランプと関連した遊びができるすごろくシートやCD・DVD・USBメモリなどの記録媒体も添付されていることを特徴とする本である。
【考案の効果】
【０００６】
本考察の形態の本がたった１冊あれば、各ページのトランプカード部分を切取線のミシン目に沿って切り取ることで、多種多様なトランプカードのセットを、トランプカード収容ケースやそのトランプと関連した遊びができるすごろく・CD・DVD・USBメモリなどの記録媒体とともに遊戯方法の相乗効果を高めて使用することができ、利用者も入手しやすい形態になり、流通関係者も取り扱いしやすい形態になるという利点がある。
【図面の簡単な説明】
【０００７】
【図１】図１は本考察の正面図である。
【図２】図２は本考察の本の表紙を開いた１ページ目と２ページ目の図である。
【図３】図３は本考察の本の表紙を開いた３ページ目と４ページ目の図である。
【図４】図４は本考察の本の表紙を開いた５ページ目と６ページ目の図である。
【図５】図５は本考察の本の表紙を開いた７ページ目と８ページ目の図である。
【図６】図６は本考察の本の表紙を開いた９ページ目と１０ページ目の図である。
【図７】図７は本考察の本の表紙を開いた１１ページ目と１２ページ目の図である。
【図８】図８は本考察の本の表紙を開いた１３ページ目と１４ページ目の図である。
【図９】図９は本考察の本の表紙を開いた１５ページ目と１６ページ目の図である。
【図１０】図１０は本考察の本の表紙を開いた１７ページ目と１８ページ目の図である。
【図１１】図１１は本考察の本の表紙を開いた１９ページ目と２０ページ目の図である。
【図１２】図１２は本考察の本の最後のページである。
【図１３】図１３は本考察の背面図である。
【図１４】図１４は本考察の平面図である。これは本考察の底面図と同様である。
【図１５】図１５は本考察の左側面図である。
【図１６】図１６は本考察の右側面図である。
【考案を実施するための形態】
【０００８】
一般的な本と同様に流通できるように、図1のとおり外見は本の形態と同様である。図２から図１２のように、ページをめくると本の各ページの中にはトランプカードが複数枚ずつまとめてレイアウトデザインされ、多種多様な複数のトランプカードセットを1冊の本の体裁にまとめて出版できるようにデザインされており、その掲載されているトランプカードを切取線にそって切り取ることで独立したトランプカードとして使用することができ、さらに1組に１つずつトランプカード収容ケースが掲載されており、しかもそのトランプと関連した遊びができるすごろくシートやCD・DVD・USBメモリなどの記録媒体も添付されている。
【実施例１】
【０００９】
図２の２ページから図６の９ページまでを切り取ると１組のトランプカードセットとなる。図３の３ページ目には切り抜き可能なトランプ収納ケースが掲載されている。図６の１０ページ目にはトランプと連動して遊べるすごろくが掲載されており、本から切り離して遊ぶことができる。
【実施例２】
【００１０】
図７の１２ページから図１１の１９ページまでを切り取ると１組のトランプカードセットとなる。図８の１３ページ目には切り抜き可能なトランプ収納ケースが掲載されている。図１１の２０ページ目にはトランプと連動して遊べるすごろくが掲載されており、本から切り離して遊ぶことができる。
【実施例３】
【００１１】
図１１の２０ページ以降も、実施例１や実施例２と同様に、多種多様なトランプセットやすごろくなどを本に掲載することができる。
【実施例４】
【００１２】
図１２の最後のページには、多種多様なトランプセットやすごろくなどと連動して遊べるソフトウェアや遊び方を紹介したＣD・DVD・USBメモリなどの記録媒体を同梱することができる。
【産業上の利用可能性】
【００１３】
これまでトランプやすごろくは単体で使用されてきたが、この考察によって多種多様なトランプやすごろくやCDなどをいくつも組み合わせて相乗効果を高めた使用方法が可能になり、遊戯のみならず多様な教育にも活用できるようになる。また、利用者も入手しやすい形態になり、流通関係者も取り扱いしやすい形態になるため、これを応用してトランプ教材などの様々な産業上利用可能性が見込める。
【図１】
0003157238.tif 000003
【図２】
0003157238.tif 000004
【図３】
0003157238.tif 000005
【図４】
0003157238.tif 000006
【図５】
0003157238.tif 000007
【図６】
0003157238.tif 000008
【図７】
0003157238.tif 000009
【図８】
0003157238.tif 000010
【図９】
0003157238.tif 000011
【図１０】
0003157238.tif 000012
【図１１】
0003157238.tif 000013
【図１２】
0003157238.tif 000014
【図１３】
0003157238.tif 000015
【図１４】
0003157238.tif 000016
【図１５】
0003157238.tif 000017
【図１６】
0003157238.tif 000018